(57)【要約】【課題】一定時間内の水滴の個数から一定時間内に除湿された水の水量を検知して除湿装置の運転を切り替えることを目的とする。【解決手段】本発明によれば、本発明によれば、除湿装置の運転により除湿された水を貯める貯水タンク７と、除湿装置の運転により除湿された水を前記貯水タンク７へ導く水路８に段差を設けて除湿された水を水滴にして落下させる滴下手段９と、前記滴下手段９から水滴が落下する位置に水滴が落下したことを検知する水滴検知手段１０と、水滴が落下した個数を検知する制御手段１１を備え、一定時間内の水滴の個数から一定時間内に除湿された水の水量を検知して除湿装置の運転を切り替えることを可能にし、湿度などの周囲環境の変化に追従して適切に運転を変更することができるという効果が得られる。【選択図】図２
2012076060.tif 000002
【特許請求の範囲】
【請求項１】
除湿装置の運転により除湿された水を貯める貯水タンクと、除湿装置の運転により除湿された水を前記貯水タンクへ導く水路に段差を設けて除湿された水を水滴にして落下させる滴下手段と、前記滴下手段から水滴が落下する位置に水滴が落下したことを検知する水滴検知手段と、水滴が落下した個数を検知する制御手段を備え、一定時間内の水滴の個数から一定時間内に除湿された水の水量を検知して除湿装置の運転を切り替えることを特徴とする除湿装置。
【請求項２】
滴下手段の段差に近くなるに従って、水路の幅を序徐々に細くすることを特徴とする請求項１記載の除湿装置。
【請求項３】
滴下手段の水が落下する先端の部分を水路に設けた段差の壁に対して突き出す形状にすることを特徴とする請求項１乃至２のいずれかに記載の除湿装置。
【請求項４】
水滴検知手段を水滴が落下する方向に対して垂直になるように設置することを特長とする請求項１乃至３のいずれかに記載の除湿装置。
【請求項５】
水滴滴下手段を水滴が落下する方向に対して斜めになるように設置することを特長とする請求項１乃至３のいずれかに記載の除湿装置。
【請求項６】
衣類の乾燥を判断することを特徴とする請求項１乃至５のいずれかに記載の除湿装置。
【請求項７】
除湿装置の故障を判断することを特徴とする請求項１乃至６のいずれかに記載の除湿装置。
【請求項８】
除湿装置の除湿された水を貯めておく貯水タンクの満水を判断することを特徴とする請求項１乃至７のいずれかに記載の除湿装置。
【請求項９】
水滴検知手段に圧力センサを用いることを特徴とした請求項１乃至８のいずれかに記載の除湿装置。
【請求項１０】
水滴検知手段に歪みセンサを用いることを特徴とした請求項１乃至８のいずれかに記載の除湿装置。
【発明の詳細な説明】
【技術分野】
【０００１】
本発明は、除湿装置により除湿された単位時間当たりの水分量を検知して、除湿装置の運転を制御する方法に関する。
【背景技術】
【０００２】
従来、この種に関する除湿装置は、除湿された水を貯める貯水タンクに溜まった水の水位や水位変化を検知して、除湿装置の運転を制御するものが知られている（例えば、特許文献１参照）。
【０００３】
以下、その除湿装置について説明する。
【０００４】
除湿装置に超音波センサを用いて貯水タンクに溜まった水の水位を検知し、時間当たりの水位変化から除湿装置の異常や衣類の乾燥を判断する除湿装置である。
【先行技術文献】
【特許文献】
【０００５】
【特許文献１】特許第４１８９７５９号公報
【発明の概要】
【発明が解決しようとする課題】
【０００６】
このような従来の除湿装置では、貯水タンクに溜まった水の水位や水位変化を検知することになるが、除湿装置により除湿される水の時間あたりの水量は貯水タンクの断面積に大きく影響を受ける水位変化に対して水量が非常に少ないため、除湿された水が貯水タンクの水位変化として現れるまでに長い時間がかかる。そのため、貯水タンクに溜まった水の水位変化を検知する方法では、実際の水量変化と貯水タンクの水位変化との間に大きな時間差が発生することになり、湿度などの周囲環境の変化に合わせて除湿装置の運転を適切に変更することができない言う課題を有していた。
【０００７】
そこで本発明は、上記従来の課題を解決するものであり、除湿装置により除湿された水の水量変化を短い時間で確認して、湿度などの周囲環境の変化に追従して適切に運転を変更することができる除湿装置を提供することを目的としている。
【課題を解決するための手段】
【０００８】
そして、この目的を達成するために、本発明は、除湿装置の運転により除湿された水を貯める貯水タンクと、除湿装置の運転により除湿された水を前記貯水タンクへ導く水路に段差を設けて除湿された水を水滴にして落下させる滴下手段と、前記滴下手段から水滴が落下する位置に水滴が落下したことを検知する水滴検知手段と、水滴が落下した個数を検知する制御手段を備え、一定時間内の水滴の個数から一定時間内に除湿された水の水量を検知して除湿装置の運転を切り替えることを特徴としたものであり、これにより所期の目的を達成するものである。
【発明の効果】
【０００９】
本発明によれば、除湿装置の運転により除湿された水を貯める貯水タンクと、除湿装置の運転により除湿された水を前記貯水タンクへ導く水路に段差を設けて除湿された水を水滴にして落下させる滴下手段と、前記滴下手段から水滴が落下する位置に水滴が落下したことを検知する水滴検知手段と、水滴が落下した個数を検知する制御手段を備え、一定時間内の水滴の個数から一定時間内に除湿された水の水量を検知して除湿装置の運転を切り替えることを可能にし、湿度などの周囲環境の変化に追従して適切に運転を変更することができるという効果を得ることができる。
【図面の簡単な説明】
【００１０】
【図１】本発明の実施の形態１の除湿装置の図
【図２】本発明の実施の形態１の除湿装置の水路の構成を示す図
【図３】本発明の実施の形態１の除湿装置の制御手段の構成を示す図
【図４】同除湿装置の制御方法の図
【図５】同除湿装置の衣類乾燥の検知方法の図
【図６】同除湿装置の異常の検知方法の図
【図７】同除湿装置の満水の検知方法の図
【発明を実施するための形態】
【００１１】
本発明の請求項１記載の除湿装置は、除湿装置の運転により除湿された水を貯める貯水タンクと、除湿装置の運転により除湿された水を前記貯水タンクへ導く水路に段差を設けて除湿された水を水滴にして落下させる滴下手段と、前記滴下手段から水滴が落下する位置に水滴が落下したことを検知する水滴検知手段と、水滴が落下した個数を検知する制御手段を備え、一定時間内の水滴の個数から一定時間内に除湿された水の水量を検知して除湿装置の運転を切り替える構成を有する。これにより、湿度などの周囲環境の変化に追従して適切に運転を変更することができるという効果を奏する。
【００１２】
また、滴下手段の段差に近くなるに従って、水路の幅を序徐々に細くする構成にしてもよい。これにより、落下する水滴の的を絞ることが可能となり、水滴の落下を確実に検知することができるという効果を奏する。
【００１３】
また、滴下手段の水が落下する先端の部分を水路に設けた段差の壁に対して突き出す形状にする構成にしてもよい。これにより、滴下する水量を一定にすることができるという効果を奏する。
【００１４】
また、水滴検知手段を水滴が落下する方向に対して垂直になるように設置する構成にしてもよい。これにより、落下する水滴の重量によって生じる信号を検知し易くすることができるという効果を奏する。
【００１５】
また、水滴滴下手段を水滴が落下する方向に対して斜めになるように設置する構成にしてもよい。これにより、落下した水滴が水滴検知手段の上面に残らないようにすることができるという効果を奏する。
【００１６】
また、衣類の乾燥を判断する構成にしてもよい。これにより、無駄な運転を継続せずに消費電力量の削減を図ることができるという効果を奏する。
【００１７】
また、除湿装置の故障を判断する構成にしてもよい。これにより、除湿装置の異常時に運転を停止することができるという効果を奏する。
【００１８】
また、除湿装置の除湿された水を貯めておく貯水タンクの満水を判断する構成にしてもよい。これにより、貯水タンクから水が溢れ出す前に除湿装置を停止することができるという効果を奏する。
【００１９】
また、水滴検知手段に圧力センサを用いる構成にしてもよい。これにより、落下した水滴の個数を検知できるという効果を奏する。
【００２０】
また、水滴検知手段に歪みセンサを用いる構成にしてもよい。これにより、落下した水滴の個数を検知できるという効果を奏する。
【００２１】
（実施の形態１）
図１から図３に本発明に関わる除湿装置の全体構成を示す。
【００２２】
図１に示すように、除湿装置は、本体１の天面に除湿装置の操作と運転状態を表示するための操作表示部２と室内の空気を吸い込む吸込口３と除湿された空気を吹き出すための吹出口４と吹出口４から吹き出す空気の風向を上下方向に変化させるための風向ルーバー５と水平方向に送風範囲を変化させる送風範囲ルーバー６と除湿した水分を集めるための貯水タンク７を備えている。
【００２３】
除湿装置の本体１の内部には、図２に示すように、除湿された水を貯水タンク７に導くための水路８と除湿された水を水滴にして落下させる滴下手段９と落下した水滴を検知する水滴検知手段１０を備え、水路８は除湿した水を水滴検知手段１０に確実に落とせるように水路８を滴下手段９に近くなるに従って細くなる構造となっており、さらに滴下手段９は除湿された水を一定量の水滴にして落下させることができるように先端を尖らせた形状にした先端部分９ａと水滴が落下する段差９ｂを備え、先端部分９ａは段差の壁９ｃよりも除湿された水が水滴となって落ちる方向に突き出した形状となっており、除湿された水が段差の壁９ｃを伝って落ちてしまい、水滴検知手段１０で除湿された水を水滴の落下として検知できなくなることを防止するようにしている。このような形状にすることよって、除湿された水を一定量の水滴にして確実に水滴検知手段１０に落下するようにしている。
【００２４】
ここでは、水路８の経路を細くしていく方法のみを記載しているが、溜まった水をある特定の方向に導き、一定量の水滴にして落下する方法であれば、その方法には限定されず、その作用効果に差異は生じない。
【００２５】
ここでは、滴下手段９の先端部分９ａを尖らせた形状にしているが、除湿された水を一定量の水滴にするための形状であれば、その形状には限定されず、その作用効果に差異は生じない。
【００２６】
ここでは、水滴検知手段１０を水滴が落下する方向に対して斜めに配置しているが、これは落下した水が水滴検知手段１０の上に残らないようにするためでる。しかし、水滴検知手段１０を水滴が落下する方向に対して垂直に配置すれば、水滴の量が少ない場合や落下する高さが低い場合に水滴が落下した信号を検知しやすくなる。
【００２７】
このように、水滴の量や落下する高さや水滴検知手段１０の撥水性の組み合わせから水滴検知手段１０の向きを調整する方法であれば、その傾きには限定されず、その作用効果に差異は生じない。
【００２８】
また、除湿装置の本体１の内部には、図３に示すように、除湿装置の運転を制御する制御手段１１を備え、制御手段１１は、水滴検知手段１０からの一定時間内の信号の変動の回数から除湿装置の周囲環境を判断し、さらに負荷を駆動するためのトライアックやリレーなどの電子部品で構成された負荷駆動回路１２と、カウンターやタイマーや時計機能などＲＡＭやＲＯＭを内部に持つマイコン１３を備えている。ここで、マイコン１３の動作はマイコン内のカウンターやタイマーや時計機能やＲＡＭやＲＯＭが共同するマイコンのプログラムの形態で実施される。また、吸い込んだ空気の水分を吸着する吸湿材１４と、吸湿材１４を加熱して吸湿材１４から水分を放出させるための再生ヒーターＬ１５と再生ヒーターＨ１６と吸湿材１４から放出される水分を凝縮させるための凝縮器１７と室内の空気を吸込口３から吸い込んで本体１の内部を循環させて除湿した空気を吹出口４から吹き出すためのファン１８を備えている。ここでの再生ヒーターは、再生ヒーターＬ１５よりも再生ヒーターＨ１６の消費電力の方が大きい構成としているが、それぞれの役割は同じであり、除湿能力を段階的に調整することを可能とするために、このような構成としている。
【００２９】
また、図には示していないが、除湿装置の本体１の内部には、風向ルーバー５と送風範囲ルーバー６を駆動するためのステッピングモータなどが収納されている。
【００３０】
また、水滴検知手段１０は、水滴の重量を測るのではなく水滴が落下したことを検知できるものであればよく、圧力センサや歪みセンサなどを使用することができる。
【００３１】
上記のように構成した除湿装置において、一定時間内の水滴の個数から除湿される水の水量を判断し、湿度などの周囲環境の変化に適切に追従して除湿装置の運転を切り替える方法について、図４を参照しながら説明する。
【００３２】
ステップ１で除湿装置の運転を開始したら、ステップ２で一定時間Ｔ１を計測するためのタイマーＴを起動し、ステップ３で除湿装置の運転により除湿された水が水路８を流れ滴下手段９から水滴検知手段１０に落下した水滴の個数を数えるカウンターＫを起動してステップ４に移行する。次に、ステップ４で滴下手段９から一定量の水滴となって落下した水滴が水滴検知手段１０に落下したときの信号の変動を検知したら、ステップ５に移行してカウンターＫを１だけ繰り上げてステップ６に移行し、一定時間Ｔ内に落下した水滴の個数を数える落下個数ＮにカウンターＫの値を記憶してステップ４に移行する。そして、ステップ７で一定時間Ｔ１が経過するまでステップ４からステップ６を繰り返し実行し、一定時間Ｔ１が経過したらステップ８に移行する。ステップ８では、一定時間Ｔ１に除湿された水の量を少ないと判断する水滴の落下個数Ｎ１と落下個数Ｎを比較する。そして、落下個数ＮよりもＮ１が少なければ、除湿装置の除湿能力が低いと判断してステップ９に移行し、再生ヒーターＬ１５と再生ヒーターＨ１６とファン１８を操作してヒーターの電力や吹き出す風の風量を増やして除湿能力を上げてステップ１３に移行して、カウンターＫと落下個数ＮとタイマーＴをそれぞれ零にしてステップ２に戻る。また、落下個数Ｎよりも落下個数Ｎ１が多ければ、ステップ１０に移行して、一定時間Ｔ１に除湿された水の量を多いと判断する水滴の落下個数Ｎ２と落下個数Ｎを比較する。そして、落下個数Ｎよりも落下個数Ｎ２が少なければ、除湿装置の除湿能力が高いと判断してステップ１１に移行し、再生ヒーターＬ１５と再生ヒーターＨ１６とファン１８を操作してヒーターの電力や吹き出す風の風量を減らして除湿能力を下げてステップ１３に移行し、カウンターＫと落下個数ＮとタイマーＴをそれぞれ零にしてステップ２に戻る。また、落下個数Ｎよりも落下個数Ｎ２が多ければ、ステップ１２に移行して、現在の除湿装置の除湿能力が湿度などの周囲環境に対して適切であると判断し現行の運転を継続する。ここでの落下個数Ｎ１とＮ２は、除湿装置の除湿能力と実験などから決定される値である。そして、ステップ１３でカウンターＫと落下個数ＮとタイマーＴをそれぞれ零にしてステップ２に戻り、除湿装置の運転が継続される間、ステップ２からステップ１３を繰り返し実行する。
【００３３】
このように、除湿装置の運転により除湿された水を一定時間の間に落下する水滴の個数に変換することにより、短時間の運転により除湿された少ない水の水量変化を検知することが可能になり、湿度などの周囲環境の変化に適切に追従して運転を切り替えることができる除湿装置が得られる。
【００３４】
同様の構成において、衣類の乾燥を判断して除湿装置を停止する方法について、図５を参照しながら説明する。
【００３５】
また、図５において、図１から図４と同様の構成要素については同一の符号を付し、その詳細な説明は省略する。
【００３６】
図５に示すように、ステップ１で運転を開始し、ステップ８で除湿された水の量が少ないと判断したらステップ９に移行する。ステップ９で除湿装置の除湿能力を上げた後、ステップ１４に移行して、除湿能力を上げる必要があると判断したことを連続して検知した回数を数える連続回数Ｈを１だけ繰り上げてステップ１５に移行し、除湿能力を上げる必要があると判断したことを連続して検知した回数から室内に干した衣類の乾燥を判断する連続回数Ｈ１と比較する。そして、連続回数ＨとＨ１を比較して連続回数ＨがＨ１よりも小さければ、衣類はまだ乾燥していないと判断してステップ１３に移行し、カウンターＫと落下個数ＮとタイマーＴをそれぞれ零にしてステップ２に戻る。また、連続回数ＨがＨ１よりも大きければ、衣類が乾燥したと判断してステップ１７に移行して、連続回数Ｈを零にして除湿装置の運転を停止する。次に、ステップ８で除湿された水の量が十分であると判断したら、ステップ１６に移行して、連続回数Ｈを零にしステップ１０に移行する。ここでの連続回数Ｈ１は、除湿装置の除湿能力と実験などから決定される値である。
【００３７】
このように、除湿装置の除湿能力を上げても除湿される水の量が増えない時間が一定時間続いたことを検知して、衣類が乾燥したことを判断して停止することが可能となり、無駄な運転によるエネルギーの消費を減らすことができる除湿装置が得られる。
【００３８】
同様の構成において、除湿装置の異常を判断して除湿装置を停止する方法について、図６を参照しながら説明する。
【００３９】
また、図６において、図１から図５と同様の構成要素については同一の符号を付し、その詳細な説明は省略する。
【００４０】
図６に示すように、ステップ１で運転を開始し、ステップ１８に移行する。次に、ステップ１８で水滴の落下個数Ｎと一定時間Ｔ１で除湿された水が少なく異状であると判断できる落下個数Ｎ３を比較する。そして、落下個数ＮがＮ３よりも多ければ、除湿装置は正常であると判断しステップ１９に移行する。また、落下個数ＮがＮ３よりも少なければ、除湿装置が除湿せず異状の可能性があると判断してステップ２０に移行し、除湿装置の除湿される水の量が少なく異状であると判断した連続の回数を数える異常回数Ｅを１だけ繰り上げる。次に、ステップ２２で異状回数Ｅと除湿装置が異常であると判断する回数Ｅ１とを比較して、異常回数ＥがＥ１よりも少ないときはステップ２に移行し、異常回数ＥがＥ１よりも大きいときは、除湿装置に異常があると判断して、ステップ２２に移行して運転を停止する。ここでの落下個数Ｎ３と異常回数Ｅ１は、除湿装置の除湿能力と実験などから決定される値である。
【００４１】
このように、運転直後の一定時間に除湿される水の量が少なすぎることを検知し、除湿装置の異常を判断して運転を停止することができる除湿装置が得られる。
【００４２】
同様の構成において、除湿装置の貯水タンクが満水になったことを判断して除湿装置を停止する方法について、図７を参照しながら説明する。
【００４３】
また、図７において、図１から図６と同様の構成要素については同一の符号を付し、その詳細な説明は省略する。
【００４４】
図７に示すように、ステップ１で運転を開始し、ステップ４で水滴の落下を検知する毎にステップ２３で落下個数Ｎと貯水タンク７が満水になる落下個数Ｎ４とを比較して、落下個数Ｎが落下個数Ｎ４よりも小さいうちは除湿装置の運転を継続し、落下個数Ｎが落下個数Ｎ４よりも大きくなったら、貯水タンク７が満水になったと判断して運転を停止する。ここで、水滴の一滴の量と貯水タンク７が満水になる落下個数Ｎ４は、除湿装置の除湿能力と実験などから決定される値である。
【００４５】
このように、水滴の個数から除湿装置の貯水タンクに溜まった水の水量を判断して停止することができる除湿装置が得られる。
【産業上の利用可能性】
【００４６】
本発明にかかる除湿装置は、一定時間内の水滴の個数から水量を検知するものであり、水を蓄える貯水タンクを備えた家電機器に有用である。
【符号の説明】
【００４７】
１    本体
２    操作表示部
３    吸込口
４    吹出口
５    風向ルーバー
６    送風範囲ルーバー
７    貯水タンク
８    水路
９    滴下手段
９ａ  先端部分
９ｂ  段差
９ｃ  段差の壁
１０  水滴検知手段
１１  制御手段
１２  負荷駆動回路
１３  マイコン
１４  吸湿材
１５  再生ヒーターＬ
１６  再生ヒーターＨ
１７  凝縮器
１８  ファン
【図１】
2012076060.tif 000003
【図２】
2012076060.tif 000004
【図３】
2012076060.tif 000005
【図４】
2012076060.tif 000006
【図５】
2012076060.tif 000007
【図６】
2012076060.tif 000008
【図７】
2012076060.tif 000009